(57)【要約】      （修正有）【課題】除去予定コンクリート部を挟持して施工する場合でも、杭体の自重による引張力の補強筋に対する影響や回転埋設によるネジレのコンクリートに対する影響を補償でき、杭頭接合部と杭本体部の一体性が十分で、プレボーリング工法と中掘り工法のいずれにも安全に適用できる鋼管コンクリート複合杭を提供する。【解決手段】鋼管２の内側がコンクリート３で成形された鋼管コンクリート複合杭Ａの杭本体部１と、この杭本体部の一端側に連続する除去予定コンクリート杭部５と、前記杭本体部から前記除去予定コンクリート杭部にわたってこれら両杭部のコンクリートに埋込まれたフーチング補強鉄筋７と、前記両杭部を一体に固定する軸方向固定筋と、これら軸方向の鉄筋のうち少なくとも前記除去予定コンクリート杭部の前記フーチング補強鉄筋を被覆してコンクリートとの結合を阻止する被覆材１６とからなる構成の鋼管コンクリート複合杭。【選択図】図１
2015194059.tif 000002
【特許請求の範囲】
【請求項１】
鋼管内側がコンクリートで成形された鋼管コンクリート複合杭の杭本体部と、この杭本体部の一端側に連続する除去予定コンクリート杭部と、前記杭本体部から前記除去予定コンクリート杭部にわたってこれら両杭部のコンクリートに埋込まれたフーチング補強鉄筋と、前記両杭部を一体に固定する軸方向固定筋と、これら軸方向の鉄筋のうち少なくとも前記除去予定コンクリート杭部の前記フーチング補強鉄筋を被覆してコンクリートとの結合を阻止する被覆材とからなる構成としたことを特徴とする鋼管コンクリート複合杭。
【請求項２】
前記軸方向固定筋が、前記除去予定コンクリート杭部の外周側に配置した軸方向に延びる補強部材の内部に設置され、その上下両端部が前記除去予定コンクリート杭部の杭頭端版と、前記両杭部の間に介在する仕切版にそれぞれ固定した構成としたことを特徴とする請求項１記載の鋼管コンクリート複合杭。
【請求項３】
前記補強部材が、前記除去予定コンクリート杭部の外周面に開口する開口部を備えたことを特徴とする請求項２記載の鋼管コンクリート複合杭。
【請求項４】
前記被覆材が、コンクリート杭の促進養生によって軟化収縮，脆性化又は消失して、前記除去予定コンクリート杭部のコンクリートとの付着が切れる部材で形成されていることを特徴とする請求項１，２又は３記載の鋼管コンクリート複合杭。
【請求項５】
前記除去予定コンクリート杭部の杭頭部金物に、杭体を挟持する係合部を形成したことを特徴とする請求項１，２，３又は４記載の鋼管コンクリート複合杭。
【請求項６】
請求項１乃至５のいずれかの項に記載の鋼管コンクリート複合杭のフーチング部コンクリートとの一体化工法であって、施工後に前記鋼管コンクリート複合杭における前記軸方向固定筋の上端部の固定を解除した後、前記除去予定コンクリート杭部を挟持してを吊り上げ、前記フーチング補強鉄筋および軸方向固定筋を残して、前記除去予定コンクリート杭部を杭本体部から分離して引き抜き、前記軸方向固定筋の下端部の固定を解除した後、前記フーチング補強鉄筋をフーチング部のコンクリートと一体化することを特徴とする鋼管コンクリート複合杭のフーチング部コンクリートとの一体化工法。
【発明の詳細な説明】
【技術分野】
【０００１】
本発明は、鋼管の内側がコンクリートで成形された鋼管コンクリート複合杭の杭本体部と、この杭本体部の一端側に連続する除去予定コンクリート杭部とからなる鋼管コンクリート複合杭及びこの複合杭のフーチング部コンクリートとの一体化工法に関する。
【背景技術】
【０００２】
既成コンクリート杭（ＰＨＣ杭・ＳＣ杭）を埋設した後、杭とフーチングとの結合を行なう場合、一般に接合部を剛結として設計し、杭頭部に作用する押込み力、引抜き力、水平力及びモーメントに対して安全であるよう設計する必要がある。土木分野の既成杭施工の場合には、道路橋示方書に定められた構造細目を満たすように杭をフーチングに接合することを前提として、フーチング内部に鉄筋コンクリート断面を仮定し、接合部の補強鉄筋の応力度照査を行う。
【０００３】
施工においては、杭の頭部近傍をカットオフした後、コンクリート部分をハツリ取り、杭体内にあらかじめ埋め込まれた補強鉄筋を所定長露出せしめて、杭とフーチングとを結合している。頭部に位置する杭（上杭）が鋼管コンクリート複合杭である場合には、カットオフする部分の外殻鋼管を剥ぎ取る必要も生じる。
【０００４】
上記のように、カットオフ作業には多くの時間と労力を必要とする他、カット後の鋼材やハツリ取ったコンクリートを処分しなければならない等、無駄になるなど問題が多い。
【０００５】
発明者らは、こうした問題点に鑑み、鋼管コンクリート複合杭を上杭とする場合において、一端側に鋼管コンクリート複合部を、他端側にコンクリート製の杭頭接合部をそれぞれ形成するとゝもに、前記鋼管コンクリート複合部から杭頭接合部にまたがって配設した複数本のフーチング結合用補強鉄筋を介して、前記鋼管コンクリート複合部とコンクリート製の杭頭接合部とを一体に形成した構成の杭を提案している（特許文献１）。
【０００６】
その他にも、一端部に鋼管で被覆されない除去予定コンクリート部（杭頭接合部）を連続的に形成した鋼管コンクリート複合杭を形成し、施工後に容易に除去予定コンクリート部を引き抜けるようにしたり、ハツリ除去できるようにした提案がある（特許文献２、特許文献３、特許文献４）。さらに、杭頭接合部を鋼管コンクリート複合部としながらも、鋼管内側の筒状コンクリート部を仕切材によって鋼管コンクリート複合部と杭頭接合部とを縁切りして、外殻鋼管のみを円周方向に切断するだけで杭頭接合部を抜き出する提案（特許文献５、特許文献６）がある。
【先行技術文献】
【特許文献】
【０００７】
【特許文献１】特開２００９−１６１９９６号公報
【特許文献２】特開平７−１８６７５号公報
【特許文献３】特開２０１０−１９６２５１号公報
【特許文献４】特開２０１１−８０３１３号公報
【特許文献５】特開２０１０−２５５３９４号公報
【特許文献６】特開２０１３−８７５９４号公報
【０００８】
これら提案のうち、杭頭接合部を引き抜けるようにしたり、ハツリ除去を容易にしたりするための手段として、フーチング結合用補強鉄筋にコンクリートとの付着防止のための管材を被覆することが行われている。こうした管材は一般に塩ビ等の樹脂管や金属製シースまたは紙管などである。類似する手段としては、テープ等を巻き付けたり、付着防止剤を塗布する等の方法が提案されている。
【０００９】
このように、杭頭接合部の抜き出しやハツリ除去において、フーチング結合用補強鉄筋とコンクリートとの縁切りが重要である。この場合、コンクリート成形時には比較的強固に被覆して補強鉄筋を損傷から守り、施工時には逆にスムーズに抜け出し、付着が切れていることが望ましい。ただし一方で、補強鉄筋と周囲コンクリートとの付着が切れた状態にある杭頭接合部は、杭頭接合部に外殻鋼管を被覆しない提案においては特に構造的に無筋コンクリートであり、杭頭接合部を保持し回転するなどして施工する場合には、コンクリートを損傷する懸念もある。また、補強鉄筋の固定の仕方によっては、杭体の自重によって補強鉄筋に引張力を与えかねない。
【００１０】
また、施工後に杭頭接合部と杭本体部を分離するために、杭頭接合部に鋼管が被覆されている場合には境界部を溶断したりカットしたりしなければならない。杭頭接合部に鋼管が被覆されない場合には、境界部に仕切板を設けて、フーチング結合用補強鉄筋を杭頭接合部の端版にナット留めするなどして固定しているが、これでは杭頭接合部を掴持して施工する場合にフーチング結合用補強鉄筋に引張力が生じ、損傷の原因になりかねない。
【００１１】
プレボーリング工法と中掘り工法では、掘削孔に杭を建て込む際の挟持方法も異なるため汎用性に欠ける。さらに杭本体部と除去予定コンクリート部との固定手段としては、杭本体部上端の仕切板と除去予定コンクリート杭部下端の仕切板間をペアリングジョイントやトリプルプレートジョイントのような無溶接継手または溶接等が考えられるが、無溶接継手は端版部（仕切板）を特殊な形状に加工する必要があり、溶接は杭頭接合部が鋼管で被覆されていなければ適用できない。
【発明の概要】
【発明が解決しようとする課題】
【００１２】
発明者らは、杭頭接合部（鋼管がない場合は除去予定コンクリート杭部）を挟持して施工する場合でも、杭の自重による引張力の補強筋に対する影響や回転埋設によるネジレのコンクリートに対する影響を補償でき、杭頭接合部と杭本体部の一体性が十分で、プレボーリング工法と中掘り工法のいずれにも安全に適用できる杭体内補強鉄筋入りの鋼管コンクリート複合杭を提供する。また、製造後ないし施工後に除去された杭頭接合部または補強鉄筋に残された上記付着防止手段が残存しないよう、あるいは残存しても簡単に分別除去できるようにした付着防止手段を具備した鋼管コンクリート複合杭を提案する。
【課題を解決するための手段】
【００１３】
上記の課題を解決する手段として、本願の第１の発明は、鋼管内側がコンクリートで成形された鋼管コンクリート複合杭の杭本体部と、この杭本体部の一端側に連続する除去予定コンクリート杭部と、前記杭本体部から前記除去予定コンクリート杭部にわたってこれら両杭部のコンクリートに埋込まれたフーチング補強鉄筋と、前記両杭部を一体に固定する軸方向固定筋と、これら軸方向の鉄筋のうち少なくとも前記除去予定コンクリート杭部の前記フーチング補強鉄筋を被覆してコンクリートとの結合を阻止する被覆材とからなる構成とした鋼管コンクリート複合杭とした。
【００１４】
また本願の第２の発明は、前記軸方向固定筋が、前記除去予定コンクリート杭部の外周側に配置した軸方向に延びる補強部材の内部に設置され、その上下両端部が前記除去予定コンクリート杭部の杭頭端版と、前記両杭部の間に介在する仕切版にそれぞれ固定した構成としたことを特徴とした。
【００１５】
さらに本願の第３の発明は、前記補強部材が、前記除去予定コンクリート杭部の外周面に開口する開口部を備えたことを特徴とする鋼管コンクリート複合杭とした。
【００１６】
そして、本願の第４の発明は、前記被覆材が成形時には前記補強鉄筋の被覆保護を果たし、促進養生によって軟化収縮，脆性化又は消失して、前記除去予定コンクリート杭部の周囲コンクリートと付着の切れる被覆材とからなることを特徴とする鋼管コンクリート複合杭とした。
【００１７】
そして更に、本願の第５の発明は、前記除去予定コンクリート杭部の杭頭金物に杭体を挟持する係合部を形成したことを特徴とする鋼管コンクリート複合杭とした。
【００１８】
また、本願の第６の発明は、請求項１乃至５のいずれかの項に記載の鋼管コンクリート複合杭のフーチング部コンクリートとの一体化工法であって、施工後に前記鋼管コンクリート複合杭における軸方向固定筋の上端部の固定を解除した後、前記除去予定コンクリート杭部を挟持してを吊り上げ、前記フーチング補強鉄筋および軸方向固定筋を残して、前記除去予定コンクリート杭部を杭本体部から分離して引き抜き、前記軸方向固定筋の下端部の固定を外した後、前記フーチング補強鉄筋をフーチング部のコンクリートと一体化することを特徴とする鋼管コンクリート複合杭のフーチング部コンクリートとの一体化工法とした。
【発明の効果】
【００１９】
第１の発明では、鋼管内側をコンクリートで成形した鋼管コンクリート複合杭が、杭本体部とこの杭本体部の一端側に連続する除去予定コンクリート杭部とから構成され、前記杭本体部から除去予定コンクリート杭部にわたってそれらの内部に埋込まれた複数のフーチング補強鉄筋と、前記杭本体部と前記除去予定コンクリート杭部を一体に固定する軸方向固定筋とをそれぞれ別々に配置したため、除去予定コンクリート杭部を挟持して施工する場合でも、杭体の自重による引張力の補強筋に対する影響を避けることができる。
【００２０】
第２の発明では、前記軸方向固定筋が、前記除去予定コンクリート杭部の外周側に配置した軸方向に延びる補強部材の内部に設置され、その上下両端部が前記除去予定コンクリート杭部の杭頭端版と、前記両杭部の間に介在する仕切版にそれぞれ固定した構成としたので、前記軸方向固定筋の解除と取り外しが容易であり、場合によってはアンボンドプレストレスを加えて、除去予定コンクリート杭部と杭本体部の一体性をより強固にすることができる。また、軸方向固定筋が杭体の外周囲にあるため、フーチング補強鉄筋の配置に支障を生じる場合に有利であり、施工において回転埋設しなければならない場合など発生するねじりモーメントの影響を補強材によって補償できる。
【００２１】
第３の発明では、前記補強部材が、前記除去予定コンクリート杭部の外周面に開口する開口部を備えた構成としたので、製造時の組み立てや施工後に、前記除去予定コンクリート部を引き抜くことが容易であり、除去予定コンクリート部の長さが合致すれば、前記補強部材を再利用することも可能である。
【００２２】
第４の発明では、前記被覆材が成形時には前記補強鉄筋の被覆保護を果たし、促進養生によって軟化収縮，脆性化又は消失して、前記除去予定コンクリート杭部のコンクリートと付着の切れる被覆材とからなることを特徴としたので、一般に６０〜９０℃の温度での常圧蒸気養生乃至１８０℃前後の温度での高温高圧養生され、所定材齢を経て出荷される杭製品において前記被覆材は消失ないし軟化，脆弱化して原形をとどめないものとなる。
その結果、前記補強鉄筋は周囲コンクリートとの付着が切れて、除去予定コンクリート杭部の除去に有利となり、被覆材をほとんど廃棄する必要がない。
【００２３】
第５の発明では、前記除去予定コンクリート杭部の杭頭金物に杭体を掴持する係合部を形成したことを特徴とする鋼管コンクリート複合杭としたので、プレボーリング工法、中掘り工法に係わらず施工が容易となる。更に杭頭金物に吊り穴や突起などによる杭体を掴持する係合部を任意に設けることができる。また、こうした構成のもと、通常の鋼管コンクリート複合くいの製造条件下で製造に支障が生じない。
【００２４】
第６の発明では、請求項１から５のうちいずれか一つの項に記載の鋼管コンクリート複合杭とフーチングとの一体化工法であって、施工後に前記鋼管コンクリート複合杭の軸方向固定筋の固定を解除し、前記除去予定コンクリート杭部を吊り上げ、フーチング補強鉄筋を分離した前記除去予定コンクリート杭部を前記杭本体部から引き抜き、フーチング補強鉄筋をフーチング部のコンクリートと一体化したことを特徴としたので、施工によって影響を受けないフーチング補強鉄筋のみを杭頭補強の鉄筋コンクリート断面の応力度照査に適用することから信頼性が高い。なお、軸方向固定筋固定筋は回収して再利用することも可能である。
【図面の簡単な説明】
【００２５】
【図１】本発明に係る鋼管コンクリート複合杭の上方部の斜視図である。
【図２】本発明に係る鋼管コンクリート複合杭を、杭本体部と除去予定コンクリート        杭部とに分離した状態の上方部の斜視図である。
【図３】本発明に係る鋼管コンクリート複合杭の第２実施例の斜視図である。
【図４】図３に示す第２実施例の鋼管コンクリート複合杭を、杭本体部と除去予定コ        ンクリート杭部とに分離した状態の上方部の斜視図である。
【図５】本発明に係る鋼管コンクリート複合杭の施工順序を示す説明図である。
【発明を実施するための形態】
【００２６】
以下、本発明を図面に示す実施例により詳細に説明すると、図１，図２及び図５において、１は本発明に係る鋼管コンクリート複合杭Ａを構成する杭本体部で、この杭本体部１は鋼管２の内側にコンクリート３がライニング或いは充填によって成形されている。４は前記杭本体部１の一端側に装着したドーナツ型の仕切版で、５は前記仕切版４を介して連続するコンクリート６で成形された除去予定コンクリート杭部であり、前記鋼管コンクリート複合杭Ａは前記杭本体部（ＳＣ部）１と前記除去予定コンクリート杭部（ＲＣ部）５とで主に構成されている。
【００２７】
７は前記杭本体部１から前記除去予定コンクリート杭部５にわたってそれぞれのコンクリート３，６に埋込まれたフーチング補強鉄筋で、このフーチング補強鉄筋７の両端部は前記仕切版４に形成した補強鉄筋貫通孔８を通ってそれぞれの前記コンクリート３，６内に設置されており、９は前記杭本体部１と前記除去予定コンクリート杭部５を一体に固定する軸方向固定筋である。
【００２８】
前記フーチング補強鉄筋７としては、ＪＩＳＧ３１１２に規定される鉄筋コンクリート用棒鋼ＳＤ２９５材、ＳＤ３４５材、ＳＤ３９０材及びＳＤ４９０材等が使用される。これらの鋼材を前記軸方向固定筋９として用いても良いが、軸方向固定筋９は必要に応じて鉄筋径を異なるものとするほか、ＪＩＳＧ  ３１０９に規定されるＰＣ鋼棒を使用してプレストレスを付与することも可能である。
【００２９】
前記軸方向固定筋９は構造材ではないため、前記杭本体部１に前記除去予定コンクリート部５を固定するのに必要な本数及び径を任意に選択可能であり、回収して繰り返し使用することも可能である。ただし、前記軸方向固定筋９はフーチング補強鉄筋７の配置に支障がないよう断面に生じる軸力が均等になるよう配置するのがよい。また前記軸方向固定筋９を前記除去予定コンクリート部５の外周囲に配置する構造とした場合は前記フーチング補強鉄筋７の配置が有利であり、前記軸方向固定筋９の固定解除も容易である。
【００３０】
１０は前記除去予定コンクリート杭部５の上端部に装着した杭頭金物で、一般に既成コンクリート杭（ＰＨＣ杭やＰＲＣ杭）で用いられる端版や補強バンドであるが、本実施例においては、前記杭頭金物１０を前記除去予定コンクリート杭部５の上端面に装着した杭頭端版１１と、杭頭部に巻いた補強バンド１２とで構成されている。なお、図中１３は前記杭頭端版１１と補強バンド１２との境界部分に溶接によって形成した杭体を挟持する際に使用する係合部材である。
【００３１】
前記軸方向固定筋９は、前記フーチング補強鉄筋７と同様に、一端側を前記杭本体部１のコンクリート３に埋め込んで定着させ、他端側を前記仕切版４に形成した固定筋貫通孔１４を貫通して前記除去予定コンクリート杭部５のコンクリート６中を通り、前記杭頭端版１１にナット１５締めにより固定する構成としてもよい。しかし、施工時における杭体への影響を避けるため、図１，図２に示すように、前記仕切版４の前記固定筋貫通孔１４に形成した雌ねじ部に前記軸方向固定筋９の下端部のボルト部をねじ結合によって固定し、上端部を前記除去予定コンクリート杭部５の前記杭頭端版１１にナット１５締めにより固定する構造とした前記仕切版４と杭頭端版１１の間で固定することが望ましい。
【００３２】
１６は前記除去予定コンクリート杭部５のフーチング補強鉄筋７を被覆している被覆材で、周囲のコンクリート６との結合を阻止して前記除去予定コンクリート杭部５を前記杭本体部１から分離し易くするために設置したものである。同時に、この被覆材１６は杭体の成形時には前記フーチング補強鉄筋７の表面を保護する機能を果たし、６０〜９０℃の温度での常圧蒸気養生乃至１８０℃前後の温度での高温高圧養生によって軟化収縮，脆性化又は消失して、前記除去予定コンクリート杭部５のコンクリート６との付着が切れる構造としたものである。
【００３３】
６０〜９０℃の温度の常圧蒸気養生によって消失する材料としては、パラフィン・ポリビニルアルコール（ＰＶＡ）樹脂などがある。また同条件で軟化収縮する材料としては、塩化ビニルや発泡ポリスチレンなどがある。一方、１８０℃前後の高温高圧養生によって消失する材料としては、ポリエチレン、ポリプロピレン、アクリルなど熱可塑性樹脂の多くが融点以下となり、原型をとどめなくなる。こうした材料は、養生条件によって、またこれら材料の重合度や密度、添加剤によって、さらにそれらの形態（シート・テープ・繊維）によるコストや作業性から適切に選択される。
【００３４】
一般に６０〜９０℃の温度での常圧蒸気養生ないし１８０℃前後の温度での高温高圧養生され、所定材齢を経て出荷される杭製品において、前記の樹脂からなる被覆材１６は消失ないし軟化・脆弱化して原形をとどめないものとなる。その結果、前記フーチング補強鉄筋７は前記除去予定コンクリート杭部５における周囲のコンクリート６との付着が切れて、前記除去予定コンクリート杭部５を杭本体部１から除去するのに有利となり、又前記被覆材１６をほとんど廃棄する必要がない。
【００３５】
上記の構成からなる鋼管コンクリート複合杭Ａの設置例を図５によって説明すると、地盤をプレボーリングして形成した掘削穴をセメントミルクで充填し、下杭としてＰＨＣ杭（φ６００−１０ｍ）を地盤に建て込み、該ＰＨＣ杭に上杭として本発明に係る鋼管コンクリート複合杭Ａを接続する（図５（イ）参照）。つぎに、前記除去予定コンクリート杭部５の杭頭端版１１と補強バンド１２の境界部に溶接によって形成した係合部材１３を回転キャップ（図示しない）と係合させ、吊り上げる。そして、前記除去予定コンクリート杭部５の上端が所定位置となるよう回転させ掘削穴内に埋設する。
【００３６】
掘削穴内に充填した前記セメントミルクが硬化した後、前記掘削穴と前記鋼管コンクリート複合杭Ａの周囲を前記除去予定コンクリート杭部５全体が露出するように掘削する。次いで、前記軸方向固定筋９の上端部を前記杭頭端版１１に固定していたナット１５を緩め、該ナット１５を前記軸方向固定筋９の上端部から抜き取る。そして、前記除去予定コンクリート杭部５を上方に吊り上げることで、図５（ロ）に示すように、前記フーチング補強鉄筋７および前記軸方向固定筋９を前記杭本体部１に残して、前記除去予定コンクリート杭部５のコンクリート６，杭頭端版１１，補強バンド１２のみが上昇し、取り除かれる。
【００３７】
つぎに、前記杭本体部１の上端面に設置されている前記仕切版４から上方へ突出している前記軸方向固定筋９を除去するが、その除去方法は、図５（ハ）に示すように、前記軸方向固定筋９を左回転することで、前記仕切版４の固定筋貫通孔１４とねじ結合によって固定されていた前記軸方向固定筋９の下端部の固定を解除する。その後、前記該軸方向固定筋９を前記仕切版４から取り外し、杭本体部１から除去することで、図５（ニ）に示すように、杭本体部１の上端からは複数本のフーチング補強鉄筋７のみが上方へ突出した状態となる。
【００３８】
そこで、前記杭本体部１の上端から起立し露出する前記フーチング補強鉄筋７に水平筋１７を配設し、その後、このフーチング補強鉄筋７および前記水平筋１７の部分にフーチング部を形成するためのコンクリートを打設することで、前記鋼管コンクリート複合杭Ａの杭本体部１とフーチング部（図示しない）とは前記フーチング補強鉄筋７および水平筋１７を介して一体構造となる。
【００３９】
図３及び図４は、本発明の他の実施例であり、前記図１及び図２に示す前記第１の実施例のものとは、前記除去予定コンクリート杭部５の構造部分で相違するだけであり、その他の構造は同じであるので、以下では新たな除去予定コンクリート杭部２５についてのみ詳述する。
【００４０】
図３及び図４において、２５は除去予定コンクリート杭部で、その外周囲には軸方向に延びる断面が馬蹄形の補強部材２６が前記除去予定コンクリート杭部２５の周方向に等間隔で複数本設置されている。この補強部材２６は前記杭本体部１と前記除去予定コンクリート杭部２５との一体性をより強固にするために設置したもので、該補強部材２６の上方は天版２７で、下方は底版２８でそれぞれ塞がれている。なお、図中２７Ａ，２８Ａは前記天版２７，底版２８にそれぞれ形成した後述する軸方向固定筋９の上下両端部を挿通せしめるための貫通孔である。
【００４１】
前記軸方向固定筋９はその全長の殆どが前記補強部材２６の内部に収納された状態で設置されており、該軸方向固定筋９の上端部は前記補強部材２６の天版２７に形成した貫通孔２８Ａ，杭頭端版１１に形成した固定筋貫通孔１４を通し、固定筋上方定着部として機能する部分である前記除去予定コンクリート杭部２５の杭頭端版１１にナット１５締めにより固定されており、下端部は前記底版２８に形成した前記貫通孔２８Ａを通し、前記仕切版４の前記固定筋貫通孔１４に形成した雌ねじ部にねじ結合によって固定されている。
【００４２】
上記の構成からなる鋼管コンクリート複合杭Ａの施工例を説明すると、図３に示す状態で掘削穴内に設置された前記鋼管コンクリート複合杭Ａにあって、前記除去予定コンクリート杭部２５の前記補強部材２６内に収納されている前記軸方向固定筋９の上端部を前記杭頭端版１１に固定していたナット１５を緩め、前記軸方向固定筋９の上端部からナット１５を抜き取る。
【００４３】
そして、図４に示すように、前記除去予定コンクリート杭部２５を上方に吊り上げることで、前記フーチング補強鉄筋７及び前記軸方向固定筋９を前記杭本体部１に残して、前記除去予定コンクリート杭部２５のコンクリート６，補強部材２５，杭頭端版１１，補強バンド１２が上昇し、前記除去予定コンクリート杭部２５は前記杭本体部１から取り除かれる。つぎに、図４に示す状態で取り残された前記杭本体部１から、前記軸方向固定筋９の下端部を前記仕切版４の前記固定筋貫通孔１４に形成した雌ねじ部から螺脱せしめて抜き取る。その結果、前記杭本体部１の上端からは複数本のフーチング補強鉄筋７のみが上方へ突出した状態となる。その後の作業は上記の場合と同じである。
【符号の説明】
【００４４】
Ａ  鋼管コンクリート複合杭
１  杭本体部（ＳＣ部）
２  鋼管
３・６  コンクリート
５・２５  除去予定コンクリート部（ＲＣ部）
７  フーチング補強鉄筋
８  補強筋貫通孔
９  軸方向固定筋
１１  杭頭端版
１２  補強バンド
１３  係合部材
１４  固定筋貫通孔
１５  ナット
１６  被覆材
１７  水平筋
１８  フーチング部
２６  補強部材
２７  天版
２８  底版
【図１】
2015194059.tif 000003
【図２】
2015194059.tif 000004
【図３】
2015194059.tif 000005
【図４】
2015194059.tif 000006
【図５】
2015194059.tif 000007